(57)【要約】【課題】運転モードを切り替えても循環する冷媒の量を適正に保つことができる自動販売機を提供する。【解決手段】冷媒回路２０００は、圧縮機１とガスクーラ２と膨張手段４とを順次連結する冷却用高圧配管系と、膨張手段４と左室蒸発器５Ｌおよび中室蒸発器５Ｍおよび右室蒸発器５Ｒと圧縮機１とを順次連結する冷却用低圧配管系と、圧縮機１と、左室凝縮器６Ｌおよび中室凝縮器６Ｍとガスクーラと膨張手段４とを順次連結する加熱用高圧配管系と、膨張手段４の入側において分岐して冷媒貯蓄手段７の入側に連通する冷媒貯蓄入側配管３７（冷媒貯蓄入側電磁弁３７ｖが設置されている）と、冷媒貯蓄手段７の出側に連通して圧縮機１の入側において合流する冷媒貯蓄出側配管７１（冷媒貯蓄出側電磁弁７１ｖが設置されている）とから構成された冷媒貯蓄配管系３７１と、を有している。【選択図】図３
2010066878.tif 000002
【特許請求の範囲】
【請求項１】
断熱材によって囲まれ一面に開口部を具備する筐体と、前記開口部を開閉する断熱扉と、前記筐体内に配置された仕切板によって仕切られた、左室、中室および右室と、該左室、中室および右室を選択的に加熱または冷却するための冷媒回路と、を有し、
前記冷媒回路が、
冷媒を圧縮する圧縮機と、
該圧縮機によって圧縮された冷媒が選択的に供給されるガスクーラと、
前記圧縮機によって圧縮された冷媒が選択的に供給される、前記左室に配置された左室凝縮器および前記中室に配置された中室凝縮器と、
前記ガスクーラを通過した冷媒、または前記左室凝縮器若しくは前記中室凝縮器の一方あるいは両方を通過した冷媒が、供給される膨張手段と、
該膨張手段を通過した冷媒が選択的に供給される、前記左室に配置された左室蒸発器、前記中室に配置された中室蒸発器、および前記右室に配置された右室蒸発器と、
前記圧縮機と、前記ガスクーラと、前記膨張手段と、を順次連結する冷却用高圧配管系と、
前記膨張手段と、前記左室蒸発器および前記中室蒸発器および前記右室蒸発器と、前記圧縮機とを順次連結する冷却用低圧配管系と、
前記圧縮機と、前記左室凝縮器および前記中室凝縮器と、前記ガスクーラと、前記膨張手段とを順次連結する加熱用高圧配管系と、
前記加熱用高圧配管系または前記冷却用高圧配管系から分岐して前記冷却用低圧配管系に合流すると共に、冷媒貯蓄入側電磁弁と、冷媒貯蓄手段と、冷媒貯蓄出側電磁弁と、が設置された冷媒貯蓄配管系と、を具備することを特徴とする自動販売機。
【請求項２】
前記冷媒回路に、前記膨張手段に流入する直前の冷媒と前記圧縮機に流入する直前の冷媒との間で熱交換させるための内部熱交換器が設置され、
前記冷媒貯蓄配管系が、前記内部熱交換器と前記膨張手段との間において分岐し、前記内部熱交換器と前記圧縮機との間において合流することを特徴とする請求項１記載の自動販売機。
【請求項３】
前記冷媒回路に、前記膨張手段に流入する直前の冷媒と前記圧縮機に流入する直前の冷媒との間で熱交換させるための内部熱交換器が設置され、
前記冷媒貯蓄配管系が、前記ガスクーラと前記内部熱交換器との間において分岐し、前記左室蒸発器、前記中室蒸発器および前記右室蒸発器と前記内部熱交換器との間において合流することを特徴とする請求項１記載の自動販売機。
【請求項４】
前記圧縮機を運転中に、前記冷媒貯蓄出側電磁弁が閉じた状態で前記冷媒貯蓄入側電磁弁を開くことによって、前記冷媒貯蓄手段に冷媒を貯蓄し、
前記圧縮機を運転中に、前記冷媒貯蓄入側電磁弁が閉じた状態で前記冷媒貯蓄出側電磁弁を開くことによって、前記冷媒貯蓄手段に貯蓄された冷媒を払い出すことを特徴とする請求項１乃至３の何れかに記載の自動販売機。
【請求項５】
前記圧縮機がインバータ制御圧縮機であって、前記冷媒を貯蓄する際、低い回転数で運転することを特徴とする請求項４記載の自動販売機。
【発明の詳細な説明】
【技術分野】
【０００１】
本発明は自動販売機、特に、缶、ビン、パック、ペットボトル等の容器に入れた飲料等の商品を冷却または加熱して販売に供する自動販売機に関する。
【背景技術】
【０００２】
従来、自動販売機は、冷媒を圧縮する圧縮機と、圧縮された冷媒（以下、「高圧高温冷媒」と称す）を凝縮させる庫外凝縮器（ガスクーラに同じ）と、凝縮された冷媒（以下、「高圧中温冷媒」と称す）を膨張させる膨張手段と、膨張した冷媒（以下、「低圧低温冷媒」と称す）を蒸発させる庫内蒸発器と、これらを順次連結して蒸発した冷媒（以下、「低圧中温冷媒」と称す）を圧縮機に戻す冷媒循環回路と、からなる冷凍サイクルを有し、商品を収納する各商品収納庫内に庫内蒸発器を設置して、商品を冷却していた。
また、庫内蒸発器に高圧高温冷媒（ホットガスに同じ）を流して、庫内蒸発器において温熱を放出させて（凝縮器と機能させて）商品収納庫内を加熱する「ヒートポンプ運転」を実行する発明が開示されている（例えば、特許文献１参照）。
【０００３】
しかし、前記特許文献１に開示された発明は、加熱しようとする商品収納庫に向かう高圧高温冷媒と、冷却した商品収納庫から流出して圧縮機に戻る低圧低温冷媒とが、開閉バルブによって隔絶されているだけであるため、開閉バルブに漏洩がある場合には、前者が後者に混じって圧縮機に直接戻ることになる。そうすると、商品収納庫に流入する高圧高温冷媒および低圧低温冷媒の量が減少して、加熱不足および冷却不足が生じると共に、これを防止するため圧縮機の負荷が増大して消費エネルギが増加することになる。
そこで、商品収納庫に高圧高温冷媒が供給される凝縮器と、低圧低温冷媒が供給される庫内蒸発器とを並設して、高圧高温冷媒が流れる配管と、低圧低温冷媒が流れる配管とを分離する発明が開示されている（例えば、特許文献２参照）。
【０００４】
【特許文献１】特開２００２−２９８２１０号公報（第３−４頁、図１）
【特許文献２】特開２００７−３２８７６２号公報（第１７−１８頁、図４）
【発明の開示】
【発明が解決しようとする課題】
【０００５】
しかしながら、前記特許文献２に開示された発明は、前記特許文献１に開示された発明における問題点を解決するものの、以下のような新たな問題があった。
すなわち、商品収納庫に凝縮器と庫内蒸発器とが並設され、それぞれに冷媒を供給する配管が設けられるため、運転モードに応じて循環経路の全容積が変動することになる。例えば、全室を冷却する運転モード（ＣＣＣ運転モード）から、一部の商品収納庫を加熱する運転モード（ＨＣＣ運転モード、ＨＨＣ運転モード等）に切り替えた際、循環経路の全容積に対して循環する冷媒の量が不足したり、一方、一部の商品収納庫を加熱する運転モード（ＨＣＣ運転モード、ＨＨＣ運転モード等）から全室または一部の商品収納庫を冷却する運転モード（ＣＣＣ運転モード、ＣＣ運転モード）に切り替えた際、循環経路の全容積に対して循環する冷媒の量が過剰になることがあった。
【０００６】
本発明は上記問題を解決するものであって、運転モードを切り替えても、循環経路の全容積に対して循環する冷媒の量を適正に保つことができる自動販売機を提供することを目的とする。
【課題を解決するための手段】
【０００７】
（１）本発明に係る自動販売機（請求項１）は、断熱材によって囲まれ一面に開口部を具備する筐体と、前記開口部を開閉する断熱扉と、前記筐体内に配置された仕切板によって仕切られた、左室、中室および右室と、該左室、中室および右室を選択的に加熱または冷却するための冷媒回路と、を有し、
前記冷媒回路が、
冷媒を圧縮する圧縮機と、
該圧縮機によって圧縮された冷媒が選択的に供給されるガスクーラと、
前記圧縮機によって圧縮された冷媒が選択的に供給される、前記左室に配置された左室凝縮器および前記中室に配置された中室凝縮器と、
前記ガスクーラを通過した冷媒、または前記左室凝縮器若しくは前記中室凝縮器の一方あるいは両方を通過した冷媒が、供給される膨張手段と、
該膨張手段を通過した冷媒が選択的に供給される、前記左室に配置された左室蒸発器、前記中室に配置された中室蒸発器、および前記右室に配置された右室蒸発器と、
前記圧縮機と、前記ガスクーラと、前記膨張手段と、を順次連結する冷却用高圧配管系と、
前記膨張手段と、前記左室蒸発器および前記中室蒸発器および前記右室蒸発器と、前記圧縮機とを順次連結する冷却用低圧配管系と、
前記圧縮機と、前記左室凝縮器および前記中室凝縮器と、前記ガスクーラと、前記膨張手段とを順次連結する加熱用高圧配管系と、
前記加熱用高圧配管系または前記冷却用高圧配管系から分岐して前記冷却用低圧配管系に合流すると共に、冷媒貯蓄入側電磁弁と、冷媒貯蓄手段と、冷媒貯蓄出側電磁弁と、が設置された冷媒貯蓄配管系と、を具備することを特徴とする。
【０００８】
（２）本発明に係る自動販売機（請求項２）は、前記（１）において、前記冷媒回路に、前記膨張手段に流入する直前の冷媒と前記圧縮機に流入する直前の冷媒との間で熱交換させるための内部熱交換器が設置され、
前記冷媒貯蓄配管系が、前記内部熱交換器と前記膨張手段との間において分岐し、前記内部熱交換器と前記圧縮機との間において合流することを特徴とする。
【０００９】
（３）本発明に係る自動販売機（請求項３）は、前記（１）において、前記冷媒回路に、前記膨張手段に流入する直前の冷媒と前記圧縮機に流入する直前の冷媒との間で熱交換させるための内部熱交換器が設置され、
前記冷媒貯蓄配管系が、前記ガスクーラと前記内部熱交換器との間において分岐し、前記左室蒸発器、前記中室蒸発器および前記右室蒸発器と前記内部熱交換器との間において合流することを特徴とする。
【００１０】
（４）本発明に係る自動販売機（請求項４）は、前記（１）乃至（３）の何れかにおいて、前記圧縮機を運転中に、前記冷媒貯蓄出側電磁弁が閉じた状態で前記冷媒貯蓄入側電磁弁を開くことによって、前記冷媒貯蓄手段に冷媒を貯蓄し、
前記圧縮機を運転中に、前記冷媒貯蓄入側電磁弁が閉じた状態で前記冷媒貯蓄出側電磁弁を開くことによって、前記冷媒貯蓄手段に貯蓄された冷媒を払い出すことを特徴とする。
【００１１】
（５）本発明に係る自動販売機（請求項５）は、前記（４）において、前記圧縮機がインバータ制御圧縮機であって、前記冷媒を貯蓄する際、低い回転数で運転することを特徴とする。
【発明の効果】
【００１２】
（ｉ）本発明の請求項１に係る自動販売機は、冷媒回路が、加熱用高圧配管系または加熱用高圧配管系から分岐して冷却用低圧配管系に合流すると共に、冷媒貯蓄入側電磁弁と、冷媒貯蓄手段と、冷媒貯蓄出側電磁弁と、が設置された冷媒貯蓄配管系を具備するから、冷媒貯蓄入側電磁弁を開いて冷媒貯蓄出側電磁弁を閉じることによって、循環回路（冷却用高圧配管系および冷却用低圧配管系から形成されたり、加熱用高圧配管系および冷却用低圧配管系から形成されたりする）を循環する冷媒の一部を冷媒貯蓄手段に貯蓄することができ、一方、冷媒貯蓄入側電磁弁を閉じて冷媒貯蓄出側電磁弁を開くことによって、貯蓄した冷媒貯蓄手段を、循環回路に戻すことができる。このとき、ポンプ等の冷媒移送手段が不要である。
【００１３】
（ｉｉ）本発明の請求項２に係る自動販売機は、加熱用高圧配管系において内部熱交換器を通過して、その分温度が低くなった冷媒が冷媒貯蓄手段に貯蓄され、貯蓄された冷媒は、冷却用低圧配管系における内部熱交換器を通過して、その分温度が高くなった冷媒に混合される。
（ｉｉｉ）本発明の請求項３に係る自動販売機は、加熱用高圧配管系においてガスクーラを通過した直後（内部熱交換器を通過しない分だけ冷却されていない）の冷媒が冷媒貯蓄手段に貯蓄され、貯蓄された冷媒は、冷却用低圧配管系における内部熱交換器に流入する前の冷媒（内部熱交換器を通過しない分だけ加熱されていない）に混合される。
【００１４】
（ｉｖ）本発明の請求項４に係る自動販売機は、前記圧縮機を運転中に、冷媒貯蓄入側電磁弁および冷媒貯蓄出側電磁弁を開閉するだけで、冷媒貯蓄手段に冷媒を貯蓄したり、貯蓄された冷媒を払い出したりすることができるから、構成が簡素で、操作が簡単である。
（ｖ）本発明の請求項５に係る自動販売機は、圧縮機がインバータ制御圧縮機であって、前記冷媒を貯蓄する際、低い回転数で運転するから、消費電力を抑えることができる。
【発明を実施するための最良の形態】
【００１５】
［実施の形態１］
図１〜図５は本発明の実施の形態１に係る自動販売機を説明するものであって、図１は正面視の断面図、図２は側面視の断面図、図３はこれに設置された冷媒回路の構成図、図４は制御系を示すブロック図、図５は制御要領を示すフロー図である。
図１および図２において、自動販売機１０００は、自動販売機１０００の本体のキャビネット２００と、キャビネット２００の内部で断熱材３００に包囲された商品収納庫４００と、商品Ｓを補充する時に商品収納庫４００を開閉する商品補充用扉４０４と、商品収納庫４００と外気を遮断するための内扉４０５と、自動販売機１０００の前扉４０６と、を有している。
【００１６】
商品収納庫４００は仕切り板４０３ＬＭ、４０３ＭＲによって商品室（以下、「左室」と称す）４００Ｌ、商品室（以下、「中室」と称す）４００Ｍ、商品室（以下、「右室」と称す）４００Ｒに仕切られている。
なお、以下の説明において、左室４００Ｌ、中室４００Ｍおよび右室４００Ｒのそれぞれに配置される部材において、共通する内容を説明する場合には、それぞれをまとめてまたはそれぞれを個別に、部材名称を形容する「左室、中室、右室」や、符号の添え字「Ｌ、Ｍ、Ｒ」を省略する場合がある。
【００１７】
各商品収納庫４００には、商品Ｓを収納するための商品収納ラック４０７と、商品収納ラック４０７から自然落下した商品Ｓを取出すための商品取出し口４０９と、商品Ｓを商品取出し口４０９まで誘導する商品誘導板４０８とが設置され、商品誘導板４０８の下方が庫内部品収納室４１０となっている。また、庫内空気を商品収納ラック４０７を経由して庫内部品収納室４１０に循環させるための循環ダクト４２０が設置されている。
【００１８】
そして、庫内部品収納室４１０には、庫内空気を商品誘導板４０８（通気孔が設けられている）を通過して商品Ｓに衝突させる室内ファン４３０と、室内ファン４３０の下流（循環ダクト４２０から遠い側）に庫内熱交換器４４０と、室内ファン４３０および庫内熱交換器４４０を収納する送風ダクト４５０と、送風ダクト４５０に連通して空気を通す風胴４６０と、が設置されている。そして、風胴４６０の上面に庫内温度を測定する庫内温度センサー５００が設置されている。
さらに、商品収納庫４００の下方には、コンデンシングユニット４７０および庫外ファン４８１を収納するための機械室４８０と、電装品および制御手段を収納するための電装品収納室４９０とが配置されている。
【００１９】
（冷媒循環回路）
図３において、自動販売機１０００が有する冷媒回路２０００は、冷媒を圧縮する圧縮機（インバータ制御圧縮機）１と、圧縮機１によって圧縮された冷媒（高圧高温冷媒）が選択的に供給されるガスクーラ２と、圧縮機１によって圧縮された高圧高温冷媒が選択的に供給される、左室４００Ｌに配置された左室凝縮器６Ｌおよび中室４００Ｍに配置された中室凝縮器６Ｍと、ガスクーラ２を通過した冷媒（高圧中温冷媒）、若しくは左室凝縮器６Ｌまたは中室凝縮器６Ｍの一方または両方を通過した冷媒（高圧中温冷媒）が、供給される膨張手段（例えば、キャピラリー）４と、膨張手段４を通過した冷媒（低圧低温冷媒）が選択的に供給される、左室４００Ｌに配置された左室蒸発器５Ｌ、中室４００Ｍに配置された中室蒸発器５Ｍ、および右室４００Ｒに配置された右室蒸発器５Ｒと、を有している。
【００２０】
したがって、冷却用高圧配管系が、圧縮機１と、ガスクーラ２と、内部熱交換器３と、膨張手段４と、これらを順次連結する配管と、から形成されている。
また、冷却用低圧配管系が、膨張手段４と、左室蒸発器５Ｌおよび中室蒸発器５Ｍおよび右室蒸発器５Ｒと、内部熱交換器３と、圧縮機１と、これらを順次連結する配管と、から形成されている。
さらに、加熱用高圧配管系が、圧縮機１と、左室凝縮器６Ｌおよび中室凝縮器６Ｍと、ガスクーラ２と、内部熱交換器３と、膨張手段４と、これらを順次連結する配管と、から形成されている。
そして、冷却用高圧配管系と冷却用低圧配管系とによって、商品を冷却するための冷媒循環回路が形成され、加熱用高圧配管系と冷却用低圧配管系とによって、商品を加熱するための冷媒循環回路が形成される。なお、冷却用高圧配管系と加熱用高圧配管系とは、内部熱交換器３の入側において合流している。
【００２１】
なお、説明の便宜上、符号ｊの部材（位置を含む）と符号ｋの部材（位置を含む）とを連結する配管を符号ｊｋにて示し、配管ｊｋに設置された電磁弁を符号ｊｋｖと、配管ｊｋに設置された逆止弁（逆流防止弁に同じ）を符号ｊｋｎ、配管ｊｋに設置された流量調整弁を符号ｊｋｆとする。また、冷媒の流れる様子を説明する図において、冷媒が流れる配管を実線で、冷媒が流れない配管を破線によって示している。
すなわち、冷却用高圧配管系では、圧縮機１とガスクーラ２とは電磁弁１２ｖが設置された配管１２によって連結され、ガスクーラ２と内部熱交換器３とは逆止弁２３ｎが設置された配管２３によって連結されている。
そして、冷却用低圧配管系では、膨張手段４と蒸発器５を連結する配管４５が、左室蒸発器５Ｌに連通する配管４５Ｌと、中室蒸発器５Ｍに連通する配管４５Ｍと、右室蒸発器５Ｒに連通する配管４５Ｒと、にそれぞれ分岐され、それぞれに、電磁弁４５Ｌｖ、４５Ｍｖ、４５Ｒｖと、流量調整弁４５Ｌｆ、４５Ｍｆ、４５Ｒｆとが設置されている。
【００２２】
一方、加熱用高圧配管系では、圧縮機１と左室凝縮器６Ｌの入側とを連通する配管１６Ｌ（電磁弁１６Ｌｖが設置されている）と、圧縮機１と中室凝縮器６Ｍの入側とを連通する配管１６Ｍ（電磁弁１６Ｍｖが設置されている）と、左室凝縮器６Ｌの出側とガスクーラ２の入側とを連通する配管６２Ｌ（逆止弁６２Ｌｎが設置されている）と、中室凝縮器６Ｍの出側とガスクーラ２の入側とを連通する配管６２Ｍ（逆止弁６２Ｍｎが設置されている）と、ガスクーラ２の出側と入側と内部熱交換器３の入側とを連通する配管２３Ｈ（逆止弁２３Ｈｎが設置されている）と、から形成されている。
また、配管６２Ｌと配管６２Ｍとは配管６２に統合されている。なお、加熱用高圧配管系については、冷却用高圧配管系の逆止弁２３ｎが設置された配管２３との混乱を避けるため、「Ｈ」と追記している。
【００２３】
なお、ガスクーラ２は、冷却用高圧配管系の一部を構成する伝熱管（図示しない）と、加熱用高圧配管系の一部を構成する伝熱管（図示しない）と、が共通の放熱板（図示しない）を千鳥状に貫通するものであって、大気を通過させる庫外ファン２ｆを有している。
なお、本発明は、冷却用高圧配管系について、ガスクーラ２とは別個の熱交換手段（温熱の大気中への放熱手段）を設けてもよいし、熱バランスがとれる場合には、冷却用高圧配管系に温熱の大気中への放熱手段を設けなくてもよい。
【００２４】
（冷媒貯蓄回路）
さらに、冷却用高圧配管系である膨張手段４の入側と冷却用低圧配管系である圧縮機１の入側とを連通する冷媒貯蓄配管系３７１が設けられ、冷媒貯蓄配管系３７１には冷媒貯蓄手段（例えば、アキュムレータ）７が設置されている。
すなわち、冷媒貯蓄配管系３７１は、内部熱交換器３と膨張手段４との間において分岐して冷媒貯蓄手段７の入側に連通する冷媒貯蓄入側配管３７と、冷媒貯蓄手段７の出側に連通して内部熱交換器３と圧縮機１との間において合流する冷媒貯蓄出側配管７１と、から構成され、冷媒貯蓄入側配管３７には冷媒貯蓄入側電磁弁３７ｖが、冷媒貯蓄出側配管７１には冷媒貯蓄出側電磁弁７１ｖが、それぞれ設置されている。
【００２５】
（冷媒の流れ、ＨＣＣ運転モード）
図３において、冷媒回路２０００における通常のＨＣＣ運転モードにおける冷媒の流れは、圧縮機１において圧縮された高圧高温冷媒は、配管１６Ｌ（電磁弁１６Ｌｖが開き、電磁弁１２ｖおよび電磁弁１６Ｍｖが閉じている）を経由して左室凝縮器６Ｌに流入する。そうすると、高圧高温冷媒は、左室凝縮器６Ｌにおいて凝縮（温熱を放出）して、左室４００Ｌを加熱する。
そして、左室凝縮器６Ｌを通過した冷媒（高圧中温冷媒に同じ）は配管６２Ｌ（配管６２に同じ）に流入しガスクーラ２を通過して冷却用高圧配管系に流入する。
【００２６】
すなわち、高圧中温冷媒は内部熱交換器３を通過して膨張手段４に供給される。そして、膨張手段４において膨張した低圧低温冷媒は配管４５Ｍおよび配管４５Ｒに流入し（電磁弁４５Ｌｖが閉じ、電磁弁４５Ｍｖおよび電磁弁４５Ｒｖが開いている）、流量調整弁４５Ｍｆおよび流量調整弁４５Ｒｆによって流量調整され、中室蒸発器５Ｍおよび右室蒸発器５Ｒに供給される。
そうすると、低圧低温冷媒は、中室蒸発器５Ｍおよび右室蒸発器５Ｒにおいて蒸発（冷熱を放出）して、中室４００Ｍおよび右室４００Ｒを冷却する。
さらに、前記蒸発した後の冷媒（低圧中温冷媒に同じ）は、配管５３Ｍおよび配管５３Ｒに流入し、配管５３に統合された後、内部熱交換器３を通過して圧縮機１に戻る循環をする。
【００２７】
なお、加熱用高圧配管系の配管１６Ｍには電磁弁１６Ｍｖが設置されているから、通常は、高圧高温冷媒が中室凝縮器６Ｍに浸入することがない。また、冷却用高圧配管系の配管１２には電磁弁１２ｖが設置されているから、通常は、高圧高温冷媒がガスクーラ２に浸入することがない。また、配管２３には逆止弁２３ｎが設置されているから、通常は、高圧中温冷媒がガスクーラ２に浸入することがない。
なお、冷媒回路２０００におけるＣＨＣ運転モードは、前記ＨＣＣ運転モードにおける左室４００Ｌ（これに配置される部材を含む）を中室４００Ｍ（これに配置される部材を含む）に、中室４００Ｍを左室４００Ｌに、それぞれ読み替えたものに同じである。そして、冷媒回路２０００におけるＨＨＣ運転モードは、前記ＨＣＣ運転モードにおいて、中室凝縮器６Ｍに低圧低温を供給する替わりに、中室凝縮器６Ｍに高圧高温冷媒を供給するものである。
【００２８】
（冷媒の流れ、ＣＣＣ運転モード）
図３において、冷媒回路２０００における通常のＣＣＣ運転モードにおける冷媒の流れは、圧縮機１において圧縮された高圧高温冷媒は、配管１２（電磁弁１２ｖが開き、電磁弁１６Ｌｖおよび電磁弁１６Ｍｖが閉じている）を経由してガスクーラ２に供給され、これを通過した後、内部熱交換器３を経由して膨張手段４に供給される。
そして、膨張手段４において膨張した低圧低温冷媒は、左室蒸発器５Ｌ、中室蒸発器５Ｍおよび右室蒸発器５Ｒにそれぞれ供給され、左室４００Ｌ、中室４００Ｍおよび右室４００Ｒを冷却する。
さらに、左室４００Ｌ、中室４００Ｍおよび右室４００Ｒにおいて蒸発した後の冷媒（低圧中温冷媒に同じ）は、配管５３Ｌ、配管５３Ｍおよび配管５３Ｒに流入し、配管５３に統合された後、内部熱交換器３を通過して圧縮機１に戻る循環をする。
【００２９】
なお、加熱用高圧配管系の配管１６Ｌ、１６Ｍには電磁弁１６Ｌｖ、１６Ｍｖが設置されているから、通常は、高圧高温冷媒が左室凝縮器６Ｌ、中室凝縮器６Ｍに浸入することがない。また、加熱用高圧配管系の配管２３Ｈには逆止弁２３Ｈｎが設置されているから、通常は、高圧中温冷媒がガスクーラ２（加熱用高圧配管系の部分）や配管６２に浸入することがない。
なお、冷媒回路２０００におけるＣＣ運転モードは、前記ＣＣＣ運転モードにおいて左室蒸発器５Ｌ、中室蒸発器５Ｍまたは右室蒸発器５Ｒの何れかへの低圧低温冷媒の供給を停止したものである。
【００３０】
（冷媒の貯蓄）
冷媒回路２０００における冷媒を冷媒貯蓄手段７に貯蓄する要領は、何れかの運転モードを実行中に、冷媒貯蓄出側電磁弁７１ｖを閉じた状態で、冷媒貯蓄入側電磁弁３７ｖを開くものである。そうすると、冷却用高圧配管系を流れる高圧高温冷媒の一部または加熱用高圧配管系を流れる高圧中温冷媒の一部は、冷媒貯蓄入側電磁弁３７ｖを通過して冷媒貯蓄手段７に流入して貯まる。したがって、運転モードの変更に応じて、循環回路を流れる冷媒の量を適用に保つことができる。
【００３１】
（冷媒の戻し）
冷媒回路２０００における冷媒貯蓄手段７に貯蓄されていた冷媒の循環回路への戻しは、何れかの運転モードを実行中に、冷媒貯蓄入側電磁弁３７ｖを閉じた状態で、冷媒貯蓄出側電磁弁７１ｖを開くものである。そうすると、冷媒貯蓄手段７に貯蓄されていた冷媒は、冷媒貯蓄出側電磁弁７１ｖを通過して循環回路に流入し、低圧中温冷媒と混合され、圧縮機１に供給される。したがって、運転モードの変更に応じて、循環回路を流れる冷媒の量を適用に保つことができる。
【００３２】
（制御系）
図４において、冷媒回路２０００を制御する制御系は、庫内温度センサー５００が測定した温度情報が、制御部に入力される。そして、制御部における判断に基づいて、圧縮機１には運転周波数が出力され、冷媒貯蓄入側電磁弁３７ｖおよび冷媒貯蓄出側電磁弁７１ｖのそれぞれに開閉指令が出力される。
図５において、所定の運転モードにおいて、循環回路を循環する冷媒量が適正であるか（不足しているか）否かの判断は、通常の運転モードにおいて行われる（Ｓ１）。
すなわち、圧縮機１が運転を開始してから一定の時間が経過した後で（Ｓ２）、庫内温度センサー５００が測定した庫内温度が、凝縮温度規定値以下で（Ｓ３）、かつ、蒸発温度規定値以上で（Ｓ４）ある場合に、冷媒回収モードを開始する。
冷媒回収モードは、冷媒貯蓄入側電磁弁３７ｖを開く（通常運転モードにおいて、冷媒貯蓄入側電磁弁３７ｖおよび冷媒貯蓄出側電磁弁７１ｖが閉じている）と共に、圧縮機１を低い周波数で運転する（Ｓ５）。
なお、以上は、圧縮機１がインバータ制御圧縮機であるものを示しているが、本発明はこれに限定するものではない。したがって、インバータ制御圧縮機でない場合には、当然に、冷媒回収モードにおける圧縮機１への周波数を下げる指令はない。
【００３３】
［実施の形態２］
図６は本発明の実施の形態２に係る自動販売機に設置された冷媒回路の構成図である。
図６において、冷媒回路３０００は、冷媒回路２０００に替えて自動販売機１０００（実施の形態１）に設置されるものである。なお、冷媒回路２０００（図３）と同じ部分にはこれと同じ符号を付し、一部の説明を省略する。
また、各運転モード（ＨＣＣ運転モード、ＣＣＣ運転モード等）における冷媒の流れは、冷媒回路２０００に同じである。
【００３４】
（冷媒貯蓄回路）
冷却用高圧配管系および加熱用高圧配管系である内部熱交換器３の入側に設けられた分岐点８と冷却用低圧配管系である内部熱交換器３の入側に設けられた合流点９とを連通する冷媒貯蓄配管系８７９が設けられ、冷媒貯蓄配管系８７９には冷媒貯蓄手段（例えば、アキュムレータ）７が設置されている。
すなわち、冷媒貯蓄配管系８７９は、ガスクーラ２と内部熱交換器３との間の分岐点８において分岐して冷媒貯蓄手段７の入側に連通する冷媒貯蓄入側配管８７と、冷媒貯蓄手段７の出側に連通して、左室蒸発器５Ｌ、中室４００Ｍおよび右室蒸発器５Ｒと内部熱交換器３との間の合流点９に合流する冷媒貯蓄出側配管７９と、から構成され、冷媒貯蓄入側配管８７には冷媒貯蓄入側電磁弁８７ｖが、冷媒貯蓄出側配管７９には冷媒貯蓄出側電磁弁７９ｖが、それぞれ設置されている。
【００３５】
（冷媒の貯蓄）
冷媒回路３０００における冷媒を冷媒貯蓄手段７に貯蓄する要領は、何れかの運転モードを実行中に、冷媒貯蓄出側電磁弁７９ｖを閉じた状態で、冷媒貯蓄入側電磁弁８７ｖを開くものである。そうすると、冷却用高圧配管系を流れる高圧高温冷媒の一部または加熱用高圧配管系を流れる高圧中温冷媒の一部は、冷媒貯蓄入側電磁弁８７ｖを通過して冷媒貯蓄手段７に流入して貯まる。したがって、運転モードの変更に応じて、循環回路を流れる冷媒の量を適用に保つことができる。
【００３６】
（冷媒の戻し）
冷媒回路３０００における冷媒貯蓄手段７に貯蓄されていた冷媒の循環回路への戻しは、何れかの運転モードを実行中に、冷媒貯蓄入側電磁弁８７ｖを閉じた状態で、冷媒貯蓄出側電磁弁７９ｖを開くものである。そうすると、冷媒貯蓄手段７に貯蓄されていた冷媒は、冷媒貯蓄出側電磁弁７９ｖを通過して循環回路に流入し、低圧中温冷媒と混合され、圧縮機１に供給される。したがって、運転モードの変更に応じて、循環回路を流れる冷媒の量を適用に保つことができる。
【００３７】
［その他の実施の形態］
本発明は、実施の形態１および実施の形態２に説明した形態に限定されるものではなく、冷却用高圧配管系と加熱用低圧配管系とを連通する配管を設け、または加熱用高圧配管系と加熱用低圧配管系とを連通する配管を設け、かかる配管に、冷媒貯蓄手段７と、その入側および出側にそれぞれ電磁弁を設置したものであればよい。
したがって、例えば、冷却用高圧配管系および加熱用高圧配管系である圧縮機１の出側と、冷却用低圧配管系である圧縮機１の入側とを連通する配管にしてもよい。
あるいは、冷却用高圧配管系であるガスクーラ２と逆止弁２３ｎとの間において配管２３から分岐し、冷却用低圧配管系である内部熱交換器の入側の配管５３または出側の配管３１に合流する配管にして、全室冷房運転モード（ＣＣＣ運転モード、ＣＣ運転モード）のみにおいて、冷媒を貯蓄するようにしてもよい。
また、加熱用高圧配管系であるガスクーラ２と逆止弁２３Ｈｎとの間において配管２３Ｈから分岐し、冷却用低圧配管系である内部熱交換器の入側の配管５３または出側の配管３１に合流する配管にして、ヒートポンプ運転モード（ＨＣＣ運転モード、ＨＨＣ運転モード）のみにおいて、冷媒を貯蓄するようにしてもよい。
【産業上の利用可能性】
【００３８】
本発明によれば、冷媒の循環量を制御することができるため、運転モードを切り替えても冷媒の循環量を適正に保つことができから各種自動販売機として広く利用することができる。
【図面の簡単な説明】
【００３９】
【図１】本発明の実施の形態１に係る自動販売機を説明する正面視の断面図。
【図２】本発明の実施の形態１に係る自動販売機を説明する側面視の断面図。
【図３】図１に示す自動販売機に設置された冷媒回路の構成図。
【図４】図３に示す冷媒回路の制御系を示すブロック図。
【図５】図３に示す冷媒回路の制御要領を示すフロー図。
【図６】本発明の実施の形態２に係る自動販売機に設置された冷媒回路の構成図。
【符号の説明】
【００４０】
１ 圧縮機
２ ガスクーラ
２ｆ 庫外ファン
３ 内部熱交換器
４ 膨張手段
５ 蒸発器
５Ｌ 左室蒸発器
５Ｍ 中室蒸発器
５Ｒ 右室蒸発器
６Ｌ 左室凝縮器
６Ｍ 中室凝縮器
７ 冷媒貯蓄手段
８ 分岐点
９ 合流点
３７１ 冷媒貯蓄配管系
３７ 冷媒貯蓄入側配管
３７ｖ 冷媒貯蓄入側電磁弁
７１ 冷媒貯蓄出側配管
７１ｖ 冷媒貯蓄出側電磁弁
７９ 冷媒貯蓄出側配管
７９ｖ 冷媒貯蓄出側電磁弁
８７ 冷媒貯蓄入側配管
８７ｖ 冷媒貯蓄入側電磁弁
８７９ 冷媒貯蓄配管系
２００ キャビネット
４００ 商品収納庫
４００Ｌ 左室
４００Ｍ 中室
４００Ｒ 右室
４０３ＬＭ 仕切り板
４０３ＭＲ 仕切り板
４０４ 商品補充用扉
４０５ 内扉
４０６ 前扉
４０７ 商品収納ラック
４０８ 商品誘導板
４０９ 商品取出し口
４１０ 庫内部品収納室
４２０ 循環ダクト
４３０ 室内ファン
４４０ 庫内熱交換器
４５０ 送風ダクト
４６０ 風胴
４７０ コンデンシングユニット
４８０ 機械室
４８１ 庫外ファン
４９０ 電装品収納室
５００ 庫内温度センサー
１０００ 自動販売機（実施の形態１）
２０００ 冷媒回路（実施の形態１）
３０００ 冷媒回路（実施の形態２）
Ｓ 商品
【図１】
2010066878.tif 000003
【図２】
2010066878.tif 000004
【図３】
2010066878.tif 000005
【図４】
2010066878.tif 000006
【図５】
2010066878.tif 000007
【図６】
2010066878.tif 000008